(57)【特許請求の範囲】
【請求項１】
譜面の下端を受ける譜面台と、
前記譜面台の厚みより薄い譜面押さえであって、鍵盤の鍵の並び方向に略平行な回動中心を中心として回動し、使用時には前記譜面台に載置された譜面を前方から押さえる立設位置をとり、非使用時には倒設位置をとると共に前記譜面台の厚みの範囲内に収まる譜面押さえと、を有し、
前記回動中心は、使用時における前記譜面台の奏者側端部に位置することを特徴とする鍵盤楽器の譜面押さえ構造。
【請求項２】
前記譜面押さえは、使用時に前記譜面台と当接して前記立設位置を位置決めする第１の係合部と、非使用時に前記譜面台と当接して前記倒設位置を位置決めする第２の係合部とを有し、 
前記第１、第２の係合部と前記譜面台との係合によって、前記譜面押さえが前記立設位置から脱する時に前記譜面押さえの回動に対して発生する抗力の最大値及び前記譜面押さえが前記倒設位置から脱する時に前記譜面押さえの回動に対して発生する抗力の最大値はいずれも、前記立設位置と前記倒設位置との間の回動途中で発生する抗力の最小値よりも大きいことを特徴とする請求項１に記載の鍵盤楽器の譜面押さえ構造。
【請求項３】
前記譜面押さえが前記立設位置を超えて回動したときに前記譜面押さえと当接するストッパ部を前記譜面台に設けたことを特徴とする請求項１または２に記載の鍵盤楽器の譜面押さえ構造。
【請求項４】
前記譜面台は、鍵盤蓋の裏面に回動自在に配設されたことを特徴とする請求項１〜３のいずれか１項に記載の鍵盤楽器の譜面押さえ構造。
【請求項５】
鍵盤蓋の裏面に回動自在に配設され、使用時に譜面の下端を受ける譜面台と、
前記譜面台の厚みより薄い譜面押さえであって、鍵盤の鍵の並び方向に略平行な回動中心を中心として回動自在に前記譜面台に対して配設され、使用時には前記譜面台に載置された譜面を前方から押さえる立設位置をとり、非使用時には倒設位置をとると共に前記譜面台の厚みの範囲内に収まる譜面押さえと、を有することを特徴とする鍵盤楽器の譜面押さえ構造。
【請求項６】
前記立設位置での前記譜面押さえの前記譜面台からの突出高さは、前記譜面押さえが前記立設位置のまま前記譜面台が回動して前記譜面押さえの先端部が前記鍵盤蓋に当接した状態となって且つ、前記鍵盤蓋が閉じられたとしても、前記譜面台が鍵盤に接触しないような高さに設定されていることを特徴とする請求項５に記載の鍵盤楽器の譜面押さえ構造。
【請求項７】
前記譜面押さえは、前記倒設位置では、前記譜面台の厚みの範囲内に収まることを特徴とする請求項１〜６のいずれか１項に記載の鍵盤楽器の譜面押さえ構造。
【請求項８】
譜面の下端を受ける譜面台と、
鍵盤の鍵の並び方向に略平行な回動中心を中心として回動し、使用時には前記譜面台に載置された譜面を前方から押さえる立設位置をとると共に、非使用時には倒設位置をとる譜面押さえと、を有し、
前記回動中心は、使用時における前記譜面台の奏者側端部に位置し、
前記譜面押さえは、使用時に前記譜面台と当接して前記立設位置を位置決めする第１の係合部と、非使用時に前記譜面台と当接して前記倒設位置を位置決めする第２の係合部とを有し、
前記第１、第２の係合部と前記譜面台との係合によって、前記譜面押さえが前記立設位置から脱する時に前記譜面押さえの回動に対して発生する抗力の最大値及び前記譜面押さえが前記倒設位置から脱する時に前記譜面押さえの回動に対して発生する抗力の最大値はいずれも、前記立設位置と前記倒設位置との間の回動途中で発生する抗力の最小値よりも大きいことを特徴とする鍵盤楽器の譜面押さえ構造。
【発明の詳細な説明】
【技術分野】
【０００１】
本発明は、鍵盤楽器の譜面押さえ構造に関する。
【背景技術】
【０００２】
従来、鍵盤楽器において、譜面台に載置された譜面が閉じないように前方から押さえる譜面押さえが譜面台に設けられる（特許文献１、２）。下記特許文献１の譜面押さえ構造では、鍵盤楽器の天面に配置した譜面台に譜面押さえが左右方向に回動自在に設けられる。譜面押さえの回動軸の軸線は前後方向に平行である。回動軸はケースによって常時、軸線に直交する方向に付勢され、回動に対して常に抗力が発生する。譜面押さえは、使用時には斜めに立設され、非使用時にはケースに収容される。
【先行技術文献】
【特許文献】
【０００３】
【特許文献１】特開２００２−２５８８３２号公報
【特許文献２】特開平１０−２８６１７号公報
【発明の概要】
【発明が解決しようとする課題】
【０００４】
しかしながら、従来型（特許文献１）の斜めに立設される譜面押さえは、回動軸の軸線方向視（使用時の正面視）の形状が直線的な棒状である。しかも、使用時には、譜面から回動軸の軸線に平行な方向に反力を受ける。そのため、十分な剛性を確保するために、軸線方向だけでなく収容時における上下方向（厚み方向）においても肉厚を確保する必要があり、譜面押さえが収容されるケースの厚みも厚くなる。従って、譜面押さえが配置される譜面台の設計の自由度は高くない。例えば、アップライト型ピアノの鍵盤蓋の裏面に設ける譜面台は薄く構成する必要があることから、厚みのある譜面押さえを譜面台に配置することが困難で、実質的に鍵盤蓋の裏面に譜面押さえを設けることができない。
【０００５】
また、従来型の棒状の譜面押さえは、譜面を実質的に押さえるための接触面が大きくない。しかも、譜面押さえは、回動軸の軸線方向における端面における特に先端部で譜面を押さえるため、点接触に近い態様で譜面を押さえているのが実情である。そのため、１つの譜面押さえは、譜面の片ページしか押さえられず、適切な押さえ機能を確保するためには１つの譜面に対して２つの譜面押さえが必要となる。
【０００６】
また、従来型では、譜面押さえの回動軸が常時付勢されていることから、譜面押さえの立設時や収容時だけでなく、回動途中にも大きな摩擦が生じる。そのため、回動動作の繰り返しにより付勢部分の摩耗が進み、立設時や収容時の姿勢が不安定になると共に、耐久性が低下するおそれがある。
【０００７】
本発明は上記従来技術の問題を解決するためになされたものであり、その目的は、譜面台の設計自由度を高めると共に、譜面との接触面積を大きく確保することができる鍵盤楽器の譜面押さえ構造を提供することにある。
【課題を解決するための手段】
【０００８】
上記目的を達成するために本発明の請求項１の鍵盤楽器の譜面押さえ構造は、譜面の下端を受ける譜面台（２０）と、前記譜面台の厚みより薄い譜面押さえであって、鍵盤の鍵の並び方向に略平行な回動中心（Ｃ）を中心として回動し、使用時には前記譜面台に載置された譜面を前方から押さえる立設位置をとり、非使用時には倒設位置をとると共に前記譜面台の厚みの範囲内に収まる譜面押さえ（１０）と、を有し、前記回動中心は、使用時における前記譜面台の奏者側端部（２０ａ）に位置することを特徴とする。
【０００９】
上記目的を達成するために本発明の請求項５の鍵盤楽器の譜面押さえ構造は、鍵盤蓋（１０１）の裏面に回動自在に配設され、使用時に譜面の下端を受ける譜面台（２０）と、前記譜面台の厚みより薄い譜面押さえであって、鍵盤の鍵の並び方向に略平行な回動中心（Ｃ）を中心として回動自在に前記譜面台に対して配設され、使用時には前記譜面台に載置された譜面を前方から押さえる立設位置をとり、非使用時には倒設位置をとると共に前記譜面台の厚みの範囲内に収まる譜面押さえ（１０）と、を有することを特徴とする。
【００１０】
なお、上記括弧内の符号は例示である。
【発明の効果】
【００１１】
本発明の請求項１、５によれば、譜面台の設計自由度を高めると共に、譜面との接触面積を大きく確保することができる。
【００１２】
請求項２によれば、譜面押さえの立設位置、倒設位置での姿勢が安定する。請求項３によれば、過剰な回動力に対して譜面押さえを受けて、耐久性を高めることができる。請求項４によれば、鍵盤蓋の裏面に譜面を載置可能となり、アップライト型ピアノにも適用可能となる。請求項６によれば、鍵盤と鍵盤蓋との干渉を回避することができる。請求項７によれば、譜面押さえが譜面台から出っ張らない。
【図面の簡単な説明】
【００１３】
【図１】譜面押さえ構造が適用される鍵盤楽器の斜視図（図（ａ））、譜面台の平面図（図（ｂ））である。
【図２】譜面台に配設された１つの譜面押さえの使用状態時の斜視図（図（ａ））、譜面押さえの斜視図（図（ｂ））である。
【図３】使用状態時における譜面押さえの左右方向中央における断面図である。
【図４】回動途中、非使用状態時における譜面押さえの左右方向中央における断面図（図（ａ）、（ｂ））である。
【図５】本実施の形態、変形例の、図３のＡ−Ａ線に沿う断面図（図（ａ）、（ｂ））である。
【図６】鍵盤蓋を閉じた状態における鍵盤付近の模式図（図（ａ）、（ｂ））である。
【発明を実施するための形態】
【００１４】
以下、本発明の実施の形態を図面を参照して説明する。
【００１５】
図１（ａ）は、本発明の一実施の形態に係る譜面押さえ構造が適用される鍵盤楽器の斜視図である。この鍵盤楽器１００はアップライト型のピアノとして構成され、鍵盤ＫＢを覆う鍵盤蓋１０１を備える。鍵盤蓋１０１の裏面に譜面台２０が設けられる。図１（ｂ）は、譜面台２０の平面図である。譜面台２０は、鍵盤ＫＢの鍵の並び方向である左右方向に長く略板状に構成される。譜面台２０は、鍵盤蓋１０１の裏面に蝶番等で成る複数の回動軸１０２で回動自在に配設される。図１（ａ）では譜面台２０の非使用時、図１（ｂ）では譜面台２０の使用時の状態が示されている。譜面台２０の使用時には、鍵盤蓋１０１を開けた状態で譜面台２０を奏者側へ倒す方向へ回動させる。図１（ｂ）の下方が奏者側（前側）である。
【００１６】
詳細は後述するが、使用時における譜面台２０の上側に、４つの譜面押さえ１０が配設される。各譜面押さえ１０はいずれも、回動中心Ｃを中心として譜面台２０に対して回動自在に配設される。回動中心Ｃは、譜面台２０の先端部、すなわち使用状態における譜面台２０の奏者側端部２０ａに位置している。各譜面押さえ１０の構成は共通であるので、以下、代表して１つの譜面押さえ１０の構成を詳述する。
【００１７】
図２（ａ）は、譜面台２０に配設された１つの譜面押さえ１０の使用状態時の斜視図である。図２（ｂ）は、譜面押さえ１０の斜視図である。図３は、使用状態時における譜面押さえ１０の左右方向中央における断面図である。図４（ａ）、（ｂ）はそれぞれ、回動途中、非使用状態時における譜面押さえ１０の左右方向中央における断面図である。図５（ａ）は、図３のＡ−Ａ線に沿う断面図である。
【００１８】
まず、図２（ｂ）、図３、図５（ａ）を主に参照し、譜面押さえ１０の単体構成を説明する。譜面押さえ１０は、略円柱状の軸機構部１１と板状の押さえ部材１２とを有して樹脂等で一体に形成される。軸機構部１１は回動中心Ｃの方向（回動中心Ｃに平行な方向）を長手方向としている。なお、軸機構部１１が譜面台２０に配設されたとき、回動中心Ｃは、鍵盤ＫＢの鍵の並び方向に略平行、すなわち左右方向に略平行となる。言い換えると、左右方向に並んだ鍵盤ＫＢの各鍵の前端が作る直線と回動中心Ｃの軸線とが略平行となる。軸機構部１１の、半径方向外側に、第１の係合部１４及び第２の係合部１５が少し突出して形成されると共に、軸機構部１１の内側には空洞部１１ｂが形成される。従って、軸機構部１１は、空洞部１１ｂを有することで、円柱状形状の側方の一部が開口した形状となっている。回動中心Ｃの方向における軸機構部１１の両端部に突出して、譜面台２０に軸支される軸部１３Ａ、１３Ｂが形成されている。第１の係合部１４と第２の係合部１５とは、回動中心Ｃを挟んで対向する位置にある。空洞部１１ｂが存在することから、第１の係合部１４と回動中心Ｃとの間、第２の係合部１５と回動中心とＣの間には、隙間が形成される（図３）。
【００１９】
次に、図２（ａ）、図３、図５（ａ）を主に参照し、譜面台２０の構成を説明する。譜面台２０は、第１ケース２１及び第２ケース２２を組み合わせて構成されるが、両者が一体に形成されてもよい。譜面台２０には、譜面押さえ１０が配設されるための凹部２９が形成される。第１ケース２１には、軸機構部１１の軸部１３Ａ、１３Ｂを軸支する軸受け部２７Ａ、２７Ｂが形成されている（図５（ａ））。鍵盤蓋１０１を開状態とし且つ譜面台２０を開状態とした使用状態における、凹部２９の奏者側寄りに回動中心Ｃが位置するように、軸受け部２７Ａ、２７Ｂの形成位置が設定されている。譜面台２０の使用時には、譜面台２０は譜面１０３の下端１０３ａを支持する（図３）。
【００２０】
譜面押さえ１０は、回動中心Ｃを中心として回動し、使用時には譜面台２０に載置された譜面１０３を前方から押さえる立設位置をとり（図３）、非使用時には倒設位置をとる（図４（ｂ））。譜面押さえ１０は、立設位置と倒設位置との間を回動自在である（図４（ａ））。譜面押さえ１０が立設位置にあるとき、第１の係合部１４は下方を向き、第２の係合部１５は上方を向く（図３）。一方、譜面押さえ１０が倒設位置にあるとき、第１の係合部１４は譜面台２０の先端側を向き、第２の係合部１５は回動軸１０２のある側を向く（図４（ｂ））。
【００２１】
凹部２９内における第２ケース２２の底部上面の一部は、譜面押さえ１０が立設位置にあるときに第１の係合部１４と圧接する第１の被圧接部２４として機能する（図３）。第１の係合部１４と第１の被圧接部２４との当接により、譜面押さえ１０の立設位置が位置決めされる。凹部２９内における第２ケース２２の先端側の端面の一部は、譜面押さえ１０が倒設位置にあるときに第２の係合部１５と圧接する第２の被圧接部２５として機能する（図４（ｂ））。第２の係合部１５と第２の被圧接部２５との当接により、譜面押さえ１０の倒設位置が位置決めされる。軸機構部１１の外周面１１ａは、第１の係合部１４、第２の係合部１５よりも半径方向内側に位置し、譜面押さえ１０の回動途中において第１の被圧接部２４及び第２の被圧接部２５のいずれもとも接触しない。
【００２２】
凹部２９内における第１ケース２１には、回動軸１０２側の端面としてストッパ部２３が形成されている。譜面押さえ１０に過剰な負荷が掛かり、図３に示す立設位置を超えて回動したときには、譜面押さえ１０の押さえ部材１２がストッパ部２３と当接し、第１の係合部１４及び第１の被圧接部２４の過大な変形が防止される。使用時に第１ケース２１の上方に露出する面は、ほぼ全体に亘って人工皮革等のカバー部材２６で被覆される。第１ケース２１と第２ケース２２とは、ネジで締結されるが、そのネジはカバー部材２６で隠れて外観に表れない。
【００２３】
かかる構成において、譜面１０３を載置するために譜面台２０及び譜面押さえ１０を使用する際には、ユーザは、鍵盤蓋１０１を開状態とし、さらに譜面台２０を開状態とする。そして、ユーザは、必要な譜面押さえ１０を立設位置まで回動させる。例えば、鍵盤楽器１００の左右方向中央で１つの譜面１０３を保持したい場合は、４つの譜面押さえ１０のうち中央の２つを立設させればよい。あるいは、左右に２つの譜面１０３を並べて保持したい場合は、４つの譜面押さえ１０を立設するのが適切である。このほか、低音側のみ、高音側のみで譜面１０３を保持したい場合は、左側の２つ、あるいは右側の２つの譜面押さえ１０を立設する態様も考えられる。いずれにしても、立設した譜面押さえ１０の押さえ部材１２は、後面（鍵盤蓋１０１の裏面に対向する面）の面積が広く確保されているので、従来型の斜めに立設される譜面押さえと比べて譜面１０３と接触可能な面積が大きい。押さえ部材１２は、譜面１０３を前方から押さえる。
【００２４】
ところで、譜面押さえ１０の立設位置、倒設位置においては、係合部１４、１５の各平坦面と被圧接部２４、２５とは圧接している。譜面押さえ１０を立設位置から倒設方向へ回動させるとき、第１の係合部１４の平坦面が第１の被圧接部２４から離れると同時に第１の係合部１４の角部１４ａ（図３）が第１の被圧接部２４に当接する。さらに譜面押さえ１０を倒設方向へ回動させると、角部１４ａが第１の被圧接部２４と摺接し、やがて、角部１４ａも第１の被圧接部２４から離れて、回動途中の段階に移行する。ここで、第１の係合部１４と第１の被圧接部２４との圧接により、立設位置から倒設方向へ回動させようとすることに対して抗力が発生するが、特に、角部１４ａが第１の被圧接部２４と当接してから離れるまでの間に最大の抗力が発生する。従って、譜面押さえ１０が立設位置を脱する回動初期に抗力のピークが生じる。
【００２５】
一方、譜面押さえ１０が立設位置と倒設位置との間を回動するとき、第１の被圧接部２４及び第２の被圧接部２５のいずれに対しても軸機構部１１の外周面１１ａが接触しない行程を経る（図４（ａ））。従って、譜面押さえ１０が立設位置を脱する時に発生する抗力の最大値は、回動途中において発生する抗力の最小値よりも大きい。
【００２６】
これについては、譜面押さえ１０を倒設方向から立設位置へ回動させるときにも同様に考えることができる。すなわち、第２の係合部１５の平坦面が第２の被圧接部２５から離れると同時に第２の係合部１５の角部１５ａ（図３）が第２の被圧接部２５に当接する。その後、角部１５ａが第２の被圧接部２５と摺接した後に第２の被圧接部２５から離れて、回動途中の段階に移行する。従って、譜面押さえ１０が倒設位置を脱する回動初期に抗力のピークが生じる。譜面押さえ１０が倒設位置を脱する時に発生する抗力の最大値は、回動途中において発生する抗力の最小値よりも大きい。
【００２７】
このように、譜面押さえ１０が、立設位置または倒設位置を脱する時に発生する抗力の最大値が、回動途中において発生する抗力の最小値よりも大きいので、立設位置、倒設位置での譜面押さえ１０の姿勢が安定する。さらに、回動途中の段階から譜面押さえ１０が立設位置または倒設位置に至るときにも、抗力のピークが発生する段階を経る。これにより、立設位置、倒設位置の２位置で節度感を持たせることができ、気持ちのよいクリック感を伴った回動操作を実現できる。また、譜面押さえ１０の回動途中では譜面押さえ１０に摩擦や抗力がほとんど発生しないので、譜面押さえ１０の円滑な回動と耐久性が確保される。また、係合部１４、１５間に空洞部１１ｂを形成したことで、係合部１４、１５を半径方向に撓みやすくし、適度な押圧力を発揮させることができる。さらに、構成を簡単にすることができる。
【００２８】
図４（ｂ）に示すように、倒設位置においては、譜面押さえ１０は譜面台２０の厚みＴ１の範囲内に収まり、譜面台２０から出っ張らない。なお、倒設位置において譜面押さえ１０の押さえ部材１２の上側となる面と譜面台２０の上面とが面一になるようにしてもよい。また、譜面押さえ１０の押さえ部材１２の厚みＴ２は、譜面台２０の厚みＴ１の半分以下である。これにより、譜面台２０の剛性及び薄さを維持することができる。特に、譜面台２０の裏側（使用時の底面）にネジが表れないようにすることが容易であり、外観の低下を回避できる。
【００２９】
図６（ａ）、（ｂ）は、鍵盤蓋１０１を閉じた状態における鍵盤ＫＢ付近の模式図である。押さえ部材１２が薄いことで、譜面台２０も厚くすることなく設計できる。従って、図６（ａ）に示すように、譜面台２０を閉じた状態では、鍵盤蓋１０１を閉じても譜面台２０が鍵盤ＫＢに干渉することがない。本実施の形態ではさらに、譜面押さえ１０及び譜面台２０を閉じ忘れたまま鍵盤蓋１０１を閉じても譜面台２０が鍵盤ＫＢに干渉しないように、譜面押さえ１０の立設位置における押さえ部材１２の譜面台２０からの突出高さＨが設定されている。すなわち、突出高さＨ（図３）は、譜面押さえ１０が立設位置のまま譜面台２０が回動操作されて押さえ部材１２の先端部が鍵盤蓋１０１に当接した状態となって且つ、鍵盤蓋１０１が閉じられたとしても、譜面台２０が鍵盤ＫＢに接触しないような高さに設定されている（図６（ｂ））。これにより、不用意な操作をしても、鍵盤ＫＢと鍵盤蓋１０１との干渉を回避することができる。
【００３０】
本実施の形態によれば、回動中心Ｃは、使用時における譜面台２０の奏者側端部２０ａに位置する。また、譜面押さえ１０は、鍵の並び方向に略平行な回動中心Ｃを中心として回動自在であり、使用時にとる立設位置では、押さえ部材１２が譜面１０３を前方から押さえる。すなわち、譜面押さえの回動軸の軸線が前後方向に平行である従来構成とは異なる。これらにより、回動中心Ｃから回動軸１０２までの距離を長く確保でき、回動中心Ｃに直交する方向における譜面押さえ１０の押さえ部材１２の長さ（高さ）も長く設定できる。しかも、譜面１０３から受ける反力は回動中心Ｃに平行な方向でなく直交する方向であるため、押さえ部材１２を過剰に厚くする必要がなく、譜面台２０の厚みの制約も少ない。また、左右方向における譜面押さえ１０の長さは自由に設計でき、長くすれば譜面１０３を広い範囲で押さえられる。従って、譜面台２０の設計自由度を高めると共に、押さえ部材１２と譜面１０３との接触面積を大きく確保することができる。
【００３１】
本実施の形態によれば、譜面押さえ１０が、立設位置から脱する時及び倒設位置から脱する時に譜面押さえ１０の回動に対して発生する抗力の最大値はいずれも、回動途中で発生する抗力の最小値よりも大きいので、譜面押さえ１０の立設位置、倒設位置での姿勢が安定する。また、簡単な構成で安定した２状態で譜面押さえ１０に節度感を持たせることができる。さらに、譜面押さえ１０が立設位置と倒設位置との間を回動するとき、第１の被圧接部２４及び第２の被圧接部２５のいずれに対しても軸機構部１１の外周面１１ａが接触しない行程を経る。これにより、回動途中での大きな抗力・摩擦を発生させないようにして円滑な回動を確保すると共に、摩耗の進行や耐久性の低下を抑制できる。また、ストッパ部２３を譜面台２０に設けたので、過剰な回動力に対して譜面押さえ１０を受けて、耐久性を高めることができる。また、譜面台２０は、鍵盤蓋１０１の裏面に回動自在に配設されたので、鍵盤蓋１０１の裏面に譜面１０３を載置可能となり、アップライト型ピアノにも適用可能となる。
【００３２】
ところで、従来の斜めに立設される棒状の譜面押さえは、ほぼ先端部だけで点接触に近い態様で譜面を押さえている。これに対し本実施の形態では、押さえ部材１２が左右方向にも長く、左右方向のいずれの位置でも譜面１０３を押さえる機能を発揮できる。そのため、１つの譜面押さえ１０が２つの譜面１０３を同時に押さえるような使い方も可能である。例えば、左側の譜面１０３の右端と右側の譜面１０３の左端とを、１つの押さえ部材１２の左右方向中央に位置させることで、２つの譜面１０３の片ページを押さえる機能を果たせる。これは押さえ部材１２の左右方向の長さを長くとれば十分に実現可能である。従って、譜面押さえ１０を３つ設けることで、２つの譜面１０３を同時に押さえることが可能となる。このような使用法は従来型ではきわめて困難である。
【００３３】
なお、譜面押さえ１０の立設位置、倒設位置での姿勢が安定させる観点からは、次のように考えてもよい。まず、譜面押さえ１０が、立設位置または倒設位置を脱する時に発生する抗力の最大値が、回動途中において発生する抗力の最小値よりも大きければよい。従って、譜面押さえ１０が立設位置と倒設位置開との間を回動するとき、第１の被圧接部２４及び第２の被圧接部２５のいずれに対しても軸機構部１１の外周面１１ａが接触しない行程を経ることは必須でない。また、譜面押さえ１０が、少なくとも立設位置または倒設位置を脱する時に抗力が発生する構成であればよい。従って、立設、倒設状態時に係合部１４、１５がそれぞれ被圧接部２４、２５に圧接していることは必須でなく、いずれか片方の組のみが圧接する構成であってもよい。また、譜面押さえ１０が少なくとも立設、倒設状態を脱する際の回動初期に係合部１４、１５のうち角部１４ａ、１５ｂがそれぞれ被圧接部２４、２５に当接するように構成すればよく、立設、倒設状態時に係合部１４、１５の平坦面が被圧接部２４、２５に当接することも必須でない。さらには、譜面押さえ１０が立設、倒設状態を脱する際の回動初期に抗力のピークが生じる構成も必須でなく、例えば、係合部１４、１５は、回動中心Ｃを中心とする一定曲率の曲面であるといった構成も除外されない。
【００３４】
なお、本実施の形態では、軸機構部１１の軸部１３Ａ、１３Ｂを軸受け部２７Ａ、２７Ｂが軸支する構成としたが、凹凸関係をこれとは逆にしてもよい。すなわち、図５（ｂ）に変形例を示すように、軸機構部１１の両端部に凹部１６Ａ、１６Ｂを形成すると共に、第１ケース２１に形成した軸部２８Ａ、２８Ｂに凹部１６Ａ、１６Ｂが軸支される構成としてもよい。
【００３５】
なお、譜面押さえ１０と係合するために譜面台２０に形成された部分は、機構上許される限り、譜面台２０のどの部分に設けてもよく、第１ケース２１または第２ケース２２のいずれに形成されてもよい。また、譜面台２０は３つ以上の部材が組み合わされて構成されてもよく、その場合でも、譜面押さえ１０と係合する部分はいずれの部材に形成されてもよい。なお、本発明の譜面押さえ構造が適用される譜面台の配置位置は問わず、鍵盤楽器の屋根板に配置される譜面台に譜面押さえ構造を適用してもよい。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３７】
１０  譜面押さえ、  １４  第１の係合部、  １５  第２の係合部、  ２０  譜面台、  ２０ａ  奏者側端部、  ２３  ストッパ部、  １０１  鍵盤蓋、  １０３  譜面、  １０３ａ  下端、  Ｃ  回動中心、  Ｈ  突出高さ、  Ｔ１  厚み
【図１】
0006724467.tif 000002
【図２】
0006724467.tif 000003
【図３】
0006724467.tif 000004
【図４】
0006724467.tif 000005
【図５】
0006724467.tif 000006
【図６】
0006724467.tif 000007